(57)【特許請求の範囲】
【請求項１】
外側主面に中央部に位置する表示領域および該表示領域の外側に位置する非表示領域を有する第１基板、該第１基板に対して互いに内側主面同士を対向させて配置された第２基板、ならびに前記第１基板および前記第２基板の間のうち前記表示領域に重なる部分に配置された液晶層を有する液晶パネルと、
前記液晶パネルに対して前記第２基板の前記外側主面側に配置された光源装置と、
該光源装置が配置された平板状の光源配置部および該光源配置部の周囲に位置して前記光源装置を取り囲む枠部を有する光源装置収容部材と、
前記非表示領域に重なる第１部位および前記非表示領域の外側に位置する第２部位を含む縁部と、前記第１基板の側面、前記第２基板の側面および前記光源装置収容部材の前記枠部を取り囲む外周部とを有する枠状部材と、
前記枠部と前記外周部との間に配置されたスペーサと、
前記枠部と前記外周部との間で前記スペーサに対して前記液晶パネル側に配置された、前記液晶パネルを支持する内側枠状部材と、
前記枠部と前記スペーサとの間に位置した、前記内側枠状部材を支持する支持部材とを備え、
前記光源装置収容部材、前記枠状部材および前記スペーサが、前記枠部、前記スペーサおよび前記外周部を貫通した固定部材で固定されているとともに、
前記支持部材は、前記枠部、前記スペーサおよび前記外周部とともに前記固定部材で貫通されて固定されており、
前記内側枠状部材の端部が前記支持部材の端部に嵌め合わされていることを特徴とする液晶表示装置。
【請求項２】
前記固定部材は頭部を有し、該頭部が前記枠状部材の前記外周部に埋入している請求項１に記載の液晶表示装置。
【請求項３】
前記光源装置収容部材と前記枠状部材との間および前記光源配置部の裏面側に位置した、一端部が前記液晶パネルに接続されたフレキシブル回路基板をさらに備え、
複数の前記スペーサが、前記枠部と前記外周部との間で、前記液晶パネルの外周に沿って互いに間隔を空けて配置されており、
前記枠部と前記外周部との間に位置する前記フレキシブル回路基板は、複数の前記スペーサ同士の間に配置されている請求項１または２に記載の液晶表示装置。
【請求項４】
前記支持部材の一部は前記スペーサの上面に位置しており、
前記支持部材の前記一部に、前記内側枠状部材が配置されている請求項１に記載の液晶表示装置。
【請求項５】
前記スペーサおよび前記支持部材は嵌合部を有し、前記スペーサおよび前記支持部材は前記嵌合部同士で嵌合している請求項１または４に記載の液晶表示装置。
【請求項６】
前記スペーサの前記嵌合部は凸部であり、前記支持部材の前記嵌合部は凹部である請求項５に記載の液晶表示装置。
【請求項７】
前記光源装置収容部材、前記スペーサおよび前記支持部材が、前記枠部、前記スペーサおよび前記支持部材を貫通する第２固定部材で固定されており、
前記第２固定部材は頭部を有し、前記第２固定部材の前記頭部が前記スペーサに埋入している請求項１〜６のいずれかに記載の液晶表示装置。
【発明の詳細な説明】
【技術分野】
【０００１】
本発明は、携帯電話、デジタルカメラ、携帯ゲーム機もしくは携帯情報端末などの様々な用途に用いられる液晶表示装置に関する。
【背景技術】
【０００２】
液晶表示装置は、表示領域および非表示領域を有する第１基板、第１基板に対して互いに内側主面同士を対向させて配置された第２基板、ならびに第１基板および第２基板の間に配置された液晶層を有する液晶パネルと、液晶パネルに対して第２基板の外側主面側に配置された光源装置を備える。【０００３】
さらに、液晶表示装置は、光源装置が配置された光源配置部および光源装置を取り囲む枠部を有する光源装置収容部材と、非表示領域に重なる第１部位および非表示領域の外側に位置する第２部位を含む縁部ならびに液晶パネルおよび光源装置収容部材の枠部を取り囲む外周部を有する枠状部材を備えている（例えば、特開２００９−１７０２４６号公報参照）。【０００４】
このような液晶表示装置では、平面視して、光源装置収容部材における枠部の一部が枠状部材における縁部の第２部位と重なっており、ネジなどの固定部材が枠部の一部および縁部の第２部位を貫通することで、光源装置収容部材および枠状部材が固定されている。【０００５】
近年、液晶表示装置に対して小型化の要望があり、特に狭額縁化について強い要望が存在する。【０００６】
しかしながら、上記のような液晶表示装置では、液晶パネルよりも外側に位置する枠状部材の第２部位に固定部材を貫通させているので、第２部位に貫通孔の面積を確保する必要があるため、第２部位の面積が大きくなり、枠状部材の縁部の面積が大きくなりやすくなる。そのため、液晶表示装置の額縁領域が大きくなる可能性があるという問題点があった。【０００７】
本発明は、上記の問題点に鑑みてなされたものであり、その目的は、額縁領域が大きくなることを抑制できる液晶表示装置を提供することである。
【発明の概要】
【０００８】
本発明に係る液晶表示装置は、外側主面に中央部に位置する表示領域および該表示領域の外側に位置する非表示領域を有する第１基板、該第１基板に対して互いに内側主面同士を対向させて配置された第２基板、ならびに前記第１基板および前記第２基板の間のうち前記表示領域に重なる部分に配置された液晶層を有する液晶パネルと、前記液晶パネルに対して前記第２基板の前記外側主面側に配置された光源装置と、該光源装置が配置された平板状の光源配置部および該光源配置部の周囲に位置して前記光源装置を取り囲む枠部を有する光源装置収容部材と、前記非表示領域に重なる第１部位および前記非表示領域の外側に位置する第２部位を含む縁部と、前記第１基板の側面、前記第２基板の側面および前記光源装置収容部材の前記枠部を取り囲む外周部とを有する枠状部材と、前記枠部と前記外周部との間に配置されたスペーサとを備え、前記光源装置収容部材、前記枠状部材および前記スペーサが、前記枠部、前記スペーサおよび前記外周部を貫通した固定部材で固定されていることを特徴とする。
【図面の簡単な説明】
【０００９】
【図１】本発明の実施形態における液晶表示装置を表す平面図である。
【図２】図１のＩ−Ｉ線に沿った断面図である。
【図３】液晶パネルを表す平面図である。
【図４】図１の液晶表示装置を表す斜視図である。
【図５】図４から枠状部材を除いた斜視図である。
【図６】図４のII−II線に沿った断面図である。
【図７】図４のIII−III線に沿った断面図である。
【図８】図４のIV−IV線に沿った断面図である。
【図９】スペーサを表す図であって、（ａ）は枠状部材側からスペーサを見た図であり、（ｂ）光源装置収容部材側からスペーサを見た図である。
【発明を実施するための形態】
【００１０】
本発明の実施形態における液晶表示装置１について、図１〜図９を参照しながら説明する。
【００１１】
液晶表示装置１は、液晶パネル２と、液晶パネル２に向けて光を出射する光源装置３と、光源装置３を収容する光源装置収容部材４と、液晶パネル２および光源装置収容部材４を取り囲む枠状部材５と、液晶パネル２を支持する内側枠状部材６と、内側枠状部材６を支持する支持部材７と、光源装置収容部材４および枠状部材５の間に位置するスペーサ８と、光源装置収容部材４、枠状部材５およびスペーサ８を固定する固定部材９と、液晶パネル２および光源装置３の間に配置された光学シート10と、液晶パネル２に接続されたフレキシブル回路基板11と、フレキシブル回路基板11に接続された駆動回路基板12とを備えている。
【００１２】
液晶パネル２は、第１基板21および第２基板22が対向配置され、第１基板21および第２基板22の間に液晶層が配置されているとともに、この液晶層を取り囲むように第１基板21および第２基板22を接合するシール材23が配置されている。また、第１基板21および第２基板22を挟んで互いに重なって第１偏光板24および第２偏光板25が配置されている。
【００１３】
液晶パネル２は、信号電極および共通電極の間で電界を発生させて液晶層中の液晶分子の方向を制御することによって、画素ごとに光源装置３からの光の透過率を調整し、表示領域ＥＤに画像を表示する。
【００１４】
第１基板21は、中央部に画像を表示するための表示領域ＥＤを有する第１主面21ａおよび第１主面21ａとは反対側に位置する第２主面21ｂを有している。第１基板21は、例えばガラス、プラスチックなどの透光性を有する材料によって形成される。
【００１５】
第１基板21の第２主面21ｂ上には、カラーフィルタ、遮光膜、平坦化膜および配向膜（不図示）などが配置されている。
【００１６】
第２基板22は、第１基板21の第２主面21ｂに対向する第１主面22ａと、第１主面22ａの反対側に位置する第２主面22ｂとを有している。第２基板22は第１基板21と同様の材料で形成できる。
【００１７】
表示領域ＥＤに重なる第２基板22の第１主面22ａ上には、ゲート配線、ゲート絶縁膜、ソース配線、薄膜トランジスタ、信号電極および共通電極（不図示）などが配置されている。
【００１８】
なお、本実施形態の液晶パネル２は、一対の基板のうち一方の基板に配置された信号電極および共通電極の間で電界を発生させて液晶層中の液晶分子の方向を制御するいわゆる横電界方式を採用している。また、本実施形態では横電界方式を採用しているが、これに限定されるものではなく、いかなる方式であってもよい。例えば縦電界方式を採用してもよい。
【００１９】
また、本実施形態の液晶パネル２は、薄膜トランジスタを用いたアクティブマトリクス方式を採用しているが、パッシブマトリクス方式を採用してもよい。
【００２０】
液晶層は、第１基板21および第２基板22の間のうち表示領域ＥＤに重なる部分に配置されている。液晶層はネマティック液晶などを含んでいる。
【００２１】
シール材23は第１基板21および第２基板22を貼り合わせる機能を有する。また、シール材23は第１基板21および第２基板22の間に配置されている。図３に示すように、シール材23は、平面視して表示領域ＥＤを取り囲むようにして配置されている。このシール材23はエポキシ樹脂などによって形成される。
【００２２】
第１偏光板24は、所定の振動方向の光を選択的に透過させる機能を有する。図２に示すように、第１偏光板24は液晶パネル２の第１基板21に対向するように配置されている。
【００２３】
第２偏光板25は、所定の振動方向の光を選択的に透過させる機能を有する。図２に示すように、第２偏光板25は、第２基板22に対向するように配置されている。
【００２４】
光源装置３は液晶パネル２に向けて光を出射する機能を有する。図２に示すように、光源装置３は第２基板22の第２主面22ｂ側に配置されている。また、本実施形態における光源装置３は光源31および実装基板32を有している。
【００２５】
光源31は光を発する機能を有する。複数の光源11は実装基板32に実装されている。図２に示すように、実装基板32上に位置する光源31はＹ方向に配列している。また、Ｙ方向に配列する複数の光源31が実装された複数の実装基板32はＸ方向に配列している。すなわち、光源31はＹ方向およびＸ方向に配列している。本実施形態では、光源31にＬＥＤ素子を採用しているが、これには限られず、例えばＥＬ（Electro-Luminescence）素子などを採用してもよいし、冷陰極管などの線光源を採用してもよい。
【００２６】
実装基板32には複数の光源31が実装される。実装基板32には配線パターンが形成されており、配線パターンは光源31に接続されている。配線パターンを介して電圧が光源31に印加されると、光源31から光が出射される。
【００２７】
なお、本実施形態の光源装置３は導光板を必要としない直下型を採用しているが、導光板を有するサイドライト型を採用してもよい。
【００２８】
光学シート10は液晶パネル２および光源装置３の間に配置されている。本実施形態の光学シート10は拡散シート、プリズムシートおよび輝度向上シートを有している。拡散シートは光源装置３からの光の輝度を均一化する機能を有する。この拡散シート上にプリズムシートが配置されている。プリズムシートは拡散シートを通過した光をＺ方向に屈折させる機能を有する。また、プリズムシート上には輝度向上シートが配置されている。輝度向上シートは、液晶パネル２で反射して光学シート10へ戻ってきた光を液晶パネル２へ反射する機能を有する。
【００２９】
光源装置収容部材４は光源装置３を収容する機能を有する。光源装置収容部材４は第２基板22の第２主面22ｂ側に配置されている。光源装置収容部材４は光源配置部41、枠部42およびシート配置部43を有する。
【００３０】
光源配置部41は光源装置３が配置される板状の部位である。図２に示すように、光源配置部41および第２基板22の第２主面22ｂの間には、光源装置３および光学シート10が配置されている。枠部42は光源配置３の周囲に位置して光源装置３を取り囲む部位である。なお、図７に示すように、枠部42には固定部材９が貫通する貫通孔42ｔが形成されている。シート配置部43は光学シート10の端が配置された部位であり、光学シート10を支持している。図２に示すように、シート配置部43は枠部42からＸ方向に屈曲している。シート配置部43および第２基板22の第２主面22ｂの間には、光学シート10の端および内側枠状部材６の一部が配置されている。
【００３１】
光源装置収容部材４の材料としては、例えば鋼、アルミ合金、マグネシウム合金などの金属材料およびガラス繊維強化プラスチック、炭素繊維強化プラスチックなどのプラスチックが挙げられる。
【００３２】
内側枠状部材６は液晶パネル２を支持する機能を有する。内側枠状部材６は、光源装置収容部材４と枠状部材５との間に配置されている。また、内側枠状部材６は、スペーサ８に対して液晶パネル２側に位置している。すなわち、内側枠状部材６は、スペーサ８に比べて上方に位置している。
【００３３】
また、図７に示すように、本実施形態の内側枠状部材６の一部は、支持部材７を介してスペーサ８上に位置している。すなわち、スペーサ８が支持部材７を介して内側枠状部材６を支持している。これによって、内側枠状部材６が支持部材７およびスペーサ８の両方に支持されることになるので、例えば液晶表示装置１に衝撃が加わった場合でも、内側枠状部材６を安定して支持することができる。
【００３４】
また、図５に示すように、内側枠状部材６はパネル配置部61およびパネル枠部62を有している。パネル配置部61は液晶パネル２の端が位置する部位である。パネル配置部61が液晶パネル２を支持している。なお、図６、図７および図８に示すように、パネル配置部61および液晶パネル２の間には、クッションＣが介在している。これによって、液晶表示装置１に強い衝撃が加わった場合でもクッションＣが緩衝材となり液晶パネル２が破損することを低減できる。
【００３５】
パネル枠部62は液晶パネル２を取り囲む部位である。また、本実施形態におけるパネル枠部62はＹ方向に延在しており、支持部材７に接触している。また、パネル枠部62は光源装置収容部材４の枠部42を取り囲むように配置されている。
【００３６】
図６は図４のII−II線に沿った断面図である。すなわち、図６は液晶表示装置１の側部のうちスペーサ８が配置されていない部分を切った断面図である。図６に示すように、液晶表示装置１の側部のうちスペーサ８が配置されていない部分では、内側枠状部材６の端部が支持部材７の端部に嵌め合わされている。これによって、内側枠状部材６および支持部材７の両者の位置が固定されている。なお、図６に示すように、液晶表示装置１の側部のうちスペーサ８が配置されていない部分で、内側枠状部材６および枠状部材５の間ならびに支持部材７および枠状部材５の間の空間には、フレキシブル回路基板11が配置されている。
【００３７】
内側枠状部材６の材料としては、例えば鋼、アルミ合金、マグネシウム合金などの金属材料、および熱可塑性エンジニアリングプラスチック、ガラス繊維強化プラスチック、炭素繊維強化プラスチックなどのプラスチックが挙げられる。
【００３８】
支持部材７は内側枠状部材６を支持する機能を有する。支持部材７は、枠部42とスペーサ８との間に位置している。支持部材７は光源装置収容部材４の枠部42を取り囲むように配置されている。
【００３９】
また、支持部材７の一端部はスペーサ８の上面に位置しており、この一端部上に内側枠状部材６が配置されている。図６に示すように、支持部材７の一端部は内側枠状部材６および光源装置収容部材４の枠部42の間に位置しており、内側枠状部材６の端部に嵌め合されることで、内側枠状部材６および支持部材７の位置が固定されている。
【００４０】
また、図６に示すように、液晶表示装置１の側部のうちスペーサ８が配置されていない部位では、支持部材７の他端部が光源装置収容部材４の光源配置部41の裏面に接触しているとともに固定されている。
【００４１】
図７は図４のIII−III線に沿った断面図であり、図８は図４のIV−IV線に沿った断面図である。すなわち、図７および図８は、液晶表示装置１の側部のうちスペーサ８が配置された部分を切った断面図である。また、図７はスペーサ８のＹ方向に延在する部位（固定部材９が貫通する部位）の断面図であり、図８はスペーサ８のＸ方向に延在する部位（固定部材９が貫通していない部位）の断面図である。
【００４２】
また、図７および図８に示すように、液晶表示装置１の側部のうちスペーサ８が配置された部分では、支持部材７は光源装置収容部材４の枠部42およびスペーサ８の間に位置しているとともに、支持部材７の一部は内側枠状部材６およびスペーサ８の間にも位置している。図５に示すように、スペーサ８の上方において、内側枠状部材６（パネル枠部62）およびスペーサ８は離れている。内側枠状部材６（パネル枠部62）およびスペーサ８の間の空間に支持部材７の一部を配置させることで、内側枠状部材６、支持部材７およびスペーサ８の位置関係を決めることができる。
【００４３】
また、図８に示すように、支持部材７には嵌合部７ａが形成されており、この嵌合部７ａはスペーサ８の嵌合部８ｂに嵌め合わされて嵌合している。なお、本実施形態では、支持部材７の嵌合部７ａは凹部である。
【００４４】
なお、図７に示すように、支持部材７には固定部材９が貫通する貫通孔７ｔが形成されている。すなわち、支持部材７は、固定部材９（９Ａ，９Ｂ）で貫通されて固定されている。
【００４５】
支持部材７の材料としては、例えば鋼、アルミ合金、マグネシウム合金などの金属材料、および熱可塑性エンジニアリングプラスチック、ガラス繊維強化プラスチック、炭素繊維強化プラスチックなどのプラスチックが挙げられる。
【００４６】
枠状部材５は液晶パネル２の外周を保護する機能を有する。また、枠状部材５は内側枠状部材６のパネル配置部61との間で液晶パネル２を挟みこむことで液晶パネル２の位置を固定している。枠状部材５は縁部51および外周部52を有する。
【００４７】
縁部51は非表示領域ＥNDに重なる第１部位51ａおよび非表示領域ＥNDの外側に位置する第２部位51ｂを有している。縁部51の第１部位51ａは非表示領域ＥNDを保護している。縁部51の第２部位51ｂは第１部位51ａおよび外周部52の間に位置する部位である。なお、図６、図７および図８に示すように、第１部位51ａおよび液晶パネル２の間には、クッションＣが配置されている。液晶表示装置１に強い衝撃が加わった場合でも、クッションＣが緩衝材となり、液晶パネル２が破損することを低減できる。
【００４８】
外周部52は、第１基板21の側面、第２基板22の側面および光源装置収容部材４の枠部42を取り囲んでいる。図６に示すように、液晶表示装置１の側部のうちスペーサ８が配置されていない部分では、外周部52および光源装置収容部材４の枠部42の間に、内側枠状部材６および支持部材７に加えてフレキシブル回路基板11が位置している。また、図７および図８に示すように、液晶表示装置１の側部のうちスペーサ８が配置された部分では、スペーサ８、内側枠状部材６および支持部材７が位置している。
【００４９】
また、外周部52には貫通孔52ｔが形成されているとともに、この貫通孔52ｔと連結した切欠き部52ａが形成されている。本実施形態では、この貫通孔52ｔに固定部材であるネジ９Ａが配置され、切欠き部52ａにネジ９Ａの頭部91Ａが配置されている。すなわち、ネジ９Ａの頭部91Ａが外周部52に埋入している。ネジ９Ａの頭部91Ａが切欠き部52ａに入り込み、ネジ９Ａの頭部91Ａが外周部52の外側に位置しないので、液晶表示装置１を小型化できる。なお、固定部材９Ａにリベットなど頭部91Ａを有する部材を採用した場合には、頭部91Ａを切欠き部52ａに配置すれば、上記と同様の効果を奏する。
【００５０】
スペーサ８は光源装置収容部材４の枠部42および枠状部材５の外周部52の間に位置している。また、本実施形態におけるスペーサ８は支持部材７および枠状部材５の外周部52に接触している。図９に示すように、スペーサ８は、Ｘ方向に延在する部位およびＹ方向に延在する部位を有する。なお、スペーサ８の形状は特に限定されない。スペーサ８には固定部材９Ａが位置する貫通孔８ｔおよび固定部材９Ｂが位置する貫通孔８ｔが形成されている。
【００５１】
また、図４および図５に示すように、本実施形態におけるスペーサ８は液晶表示装置１の短手方向（Ｘ方向）の側部に２個配置されているとともに、長手方向（Ｙ方向）の側部に４個配置されている。また、これら複数のスペーサ８は、液晶パネル２の外周（Ｘ方向およびＹ方向）に沿って互いに間隔を空けて配置されている。なお、スペーサ８の数はこれに限られない。
【００５２】
また、図７に示すように、スペーサ８は切欠き部８ａが形成されている。この切欠き部８ａは貫通孔８ｔと連結している。この切欠き部８ａに第２固定部材であるネジ９Ｂの頭部91Ｂが位置する。すなわち、ネジ９Ｂの頭部91Ｂがスペーサ８に埋入している。ネジ９Ｂの頭部91Ｂが切欠き部８ａに入り込み、ネジ９Ｂの頭部91Ｂがスペーサ８の外側に位置しないので、液晶表示装置１を小型化できる。なお、固定部材９Ｂにリベットなど頭部91Ｂを有する部材を採用した場合には、頭部91Ｂを切欠き部８ａに配置すれば、上記と同様の効果を奏する。
【００５３】
また、図９（ｂ）に示すように、スペーサ８における光源装置収容部材４側の面には２個の嵌合部８ｂが形成されている。図８に示すように、この嵌合部８ａは支持部材７に形成された嵌合部７ａに嵌合する。これによって、支持部材７に対するスペーサ８の位置を決めることができる。
【００５４】
また、本実施形態では、スペーサ８の嵌合部８ｂは凸部である。スペーサ８に嵌合部８ｂとして凹部を形成すると、支持部材７に比べてサイズの小さいスペーサ８の強度が低下する可能性がある。これに対して、スペーサ８の嵌合部８ｂを凸部とすることで、スペーサ８の強度が低下することを低減できる。
【００５５】
スペーサ８の材料としては、例えば熱可塑性エンジニアリングプラスチック、ガラス繊維強化プラスチック、炭素繊維強化プラスチックなどのプラスチックが挙げられる。
【００５６】
固定部材９は枠状部材５、スペーサ８および光源装置収容部材４を固定する機能を有している。１個の固定部材９Ａは枠状部材５の外周部52、スペーサ８および光源装置収容部材４の枠部42を貫通している。また、他の１個の固定部材９Ｂはスペーサ８および光源装置収容部材４の枠部42を貫通している。なお、本実施形態では固定部材９Ａ，９Ｂは支持部材７も貫通している。また、本実施形態における固定部材９はネジである。本実施形態における固定部材９には頭部としてのネジ山が形成されており、貫通孔52ｔ，８ｔ，42ｔ，７ｔの内面にも頭部としてのネジ山が形成されている。また、固定部材９は貫通して固定できればネジに限定されず、例えばリベットなどでもよい。
【００５７】
固定部材９の材料としては、例えば鋼、アルミ合金、マグネシウム合金などの金属材料およびガラス繊維強化プラスチック、炭素繊維強化プラスチックなどのプラスチックなどが挙げられる。
【００５８】
液晶表示装置１では、光源装置収容部材４、枠状部材５およびスペーサ８が、枠部42、スペーサ８および外周部52を貫通した固定部材９Ａで固定されている。すなわち、固定部材９Ａを枠状部材５の縁部51の第２部位51ｂを貫通させずに、光源装置収容部材４および枠状部材５を固定している。これによって、縁部51の第２部位51ｂに貫通孔を形成する必要がなくなり、縁部51の第２部位51ｂの面積を小さくできるので、液晶表示装置１の額縁領域を小さくすることができる。
【００５９】
さらに、液晶表示装置１では、光源装置収容部材４の枠部42および枠状部材５の外周部52の間にスペーサ８が配置されている。これによって、スペーサ８によって枠部42および外周部52の間の間隔を一定に保つことができるので、例えば液晶表示装置１に衝撃が加わった場合でも、光源装置収容部材４および枠状部材５の間隔を一定に保持することができる。また、固定部材９Ａが外周部52、スペーサ８および枠部42を貫通している。これによって、固定部材９Ａが外周部52の貫通孔52ｔの内面および枠部42の貫通孔42ｔの内面だけでなく、スペーサ８の貫通孔８ｔの内面にも接触するので、固定部材９Ａが部材に接触する面積が増加する。したがって、固定部材９Ａによって光源装置収容部材４および枠状部材５の位置関係が強く固定されるので、例えば液晶表示装置１に衝撃が加わった場合でも、光源装置収容部材４および枠状部材５の位置関係を維持できることから、液晶表示装置１の機械的強度が向上する。
【００６０】
また、液晶表示装置１では、固定部材９Ａが支持部材７を貫通している。これによって、固定部材９Ａが支持部材７の貫通孔７ｔの内面にも接触するので、固定部材９Ａが部材に接触する面積が増加する。したがって、固定部材９Ａによって光源装置収容部材４および枠状部材５の位置関係が強く固定されるので、例えば液晶表示装置１に衝撃が加わった場合でも、光源装置収容部材４および枠状部材５の位置関係を維持できることから、液晶表示装置１の機械的強度が向上する。
【００６１】
加えて、液晶表示装置１では、固定部材９Ｂが光源装置収容部材４の枠部42およびスペーサ８を貫通している。これによって、固定部材９Ｂは枠部42の貫通孔42ｔの内面およびスペーサ８の貫通孔８ｔの内面に接触するので、固定部材９Ｂによって光源装置収容部材４およびスペーサ８の位置関係が強く固定され、例えば液晶表示装置１に衝撃が加わった場合でも、光源装置収容部材４およびスペーサ８の位置関係を維持できることから、液晶表示装置１の機械的強度が向上する。
【００６２】
さらに、液晶表示装置１では、固定部材９Ｂが支持部材７を貫通している。これによって、固定部材９Ｂが支持部材７の貫通孔７ｔの内面にも接触するので、固定部材９Ｂが部材に接触する面積が増加する。したがって、固定部材９Ｂによって光源装置収容部材４およびスペーサ８の位置関係が強く固定され、例えば液晶表示装置１に衝撃が加わった場合でも、光源装置収容部材４およびスペーサ８の位置関係を維持できることから、液晶表示装置１の機械的強度が向上する。
【００６３】
フレキシブル回路基板11は液晶パネル２および駆動回路基板12を電気的に接続させる機能を有する。フレキシブル回路基板11の一端部は第１基板21と対向して液晶パネル２に接続されており、他端部は駆動回路基板12に接続されている。フレキシブル回路基板11は、光源装置収容部材４と枠状部材５との間および光源配置部41の裏面側に配置されている。フレキシブル回路基板11は、基体、配線パターンおよび回路電極端子を有する。
【００６４】
基体は、複数の配線パターンおよび複数の回路電極端子を支持する機能を有する。基体はポリイミド樹脂などの可撓性を有する絶縁性材料で形成されているので、フレキシブル回路基板11は柔軟に折り曲げることが可能となる。複数の配線パターンおよび複数の回路電極端子は例えば銅などによって形成される。
【００６５】
図２、図５および図６に示すように、フレキシブル回路基板11は液晶パネル２から折れ曲がって光源装置収容部材４の光源配置部41の裏面まで回り込んでおり、光源配置部41の外側に配置された駆動回路基板12に接続されている。
【００６６】
枠部42と外周部52との間に位置するフレキシブル回路基板11は、スペーサ８同士の間に位置している。すなわち、図５および図６に示すように、フレキシブル回路基板11は液晶表示装置１の側部のうちスペーサ８が配置されていない部分に位置している。フレキシブル基板11をスペーサ８が配置されている部分に配置すると、スペーサ８の厚みにフレキシブル基板11の厚みが加わるので液晶表示装置１の額縁領域が大きくなる可能性がある。これに対して、フレキシブル回路基板11を液晶表示装置１の側部のうちスペーサ８が配置されていない部分に配置することで、スペーサ８の配置されていない部分にできた空間を有効に利用し、フレキシブル基板11を配置できるので、液晶表示装置１の額縁領域が大きくなることを低減できる。
【００６７】
駆動回路基板12は液晶パネル２を駆動する機能を有する。図２に示すように、駆動回路基板12は光源装置収容部材４の光源配置部41の裏面に配置されている。駆動回路基板12は、例えば電源、抵抗、トランジスタ、コイル、集積回路（ＩＣ）などを有する。駆動回路基板12は、フレキシブル回路基板11に電気的に接続している。
【００６８】
本発明は上記実施形態に特に限定されるものではなく、本発明の要旨の範囲内で種々の変更および改良が可能である。
【符号の説明】
【００６９】
１、１Ａ  液晶表示装置
２  液晶パネル
ＥＤ  表示領域
ＥND  非表示領域
21  第１基板
21ａ  第１主面（外側主面）
21ｂ  第２主面（内側主面）
22  第２基板
22ａ  第１主面（外側主面）
22ｂ  第２主面（内側主面）
23  シール材
24  第１偏光板
25  第２偏光板
３  光源装置
31  光源
32  実装基板
４  光源装置収容部材
41  光源配置部
42  枠部
42ｔ  貫通孔
43  シート配置部
５  枠状部材
51  縁部
51ａ  第１部位
51ｂ  第２部位
52  外周部
52ｔ  貫通孔
52ａ  切欠き部
６  内側枠状部材
61  パネル配置部
62  パネル枠部
７  支持部材
７ｔ  貫通孔
７ａ  凹部（嵌合部）
８  スペーサ
８ｔ  貫通孔
８ａ  切欠き部
８ｂ  凸部（嵌合部）
９、９Ａ、９Ｂ  固定部材
91Ａ、91Ｂ  頭部
10  光学シート
11  フレキシブル回路基板
12  駆動回路基板
【図１】
0006034483.tif 000002
【図２】
0006034483.tif 000003
【図３】
0006034483.tif 000004
【図４】
0006034483.tif 000005
【図５】
0006034483.tif 000006
【図６】
0006034483.tif 000007
【図７】
0006034483.tif 000008
【図８】
0006034483.tif 000009
【図９】
0006034483.tif 000010